(57)【要約】【課題】カバーを特に家の内部の所定の場所に取り付けるため且つそれを取り除くための、より簡易で、より便利な、且つ、より経済的な壁のカバーのための組立体を提供する。【解決手段】本体２５と固定面３０と挿入部、２つの対面する平行な上部受容部、２つの対面する平行な下部受容部及び挿入部の上部縁及び下部縁の１つによって且つ上部受容部及び下部受容部によってそれぞれ部分的に画成された２つの支持ブロックを備える凹部４０とカバー要素と構造に取り付けられるように構成された少なくとも１つの固定接続部１５であってその接続面は３つのブランチを有し、その２つは第１のブランチから突出し、その挿入部３１に挿入され、本体の面３１に対してブロックに沿って摺動するように構成され、上部受容部又は下部受容部内に受容されるように構成されたブランチを有する少なくとも１つの固定接続部１５とを有する固定構造と、を具備する。【選択図】図３
2013185437.tif 000002
【特許請求の範囲】
【請求項１】
壁カバーのための組立体であって、
固定構造（１０）と、
少なくとも１つのカバー要素（６）に結合され、前記固定構造（１０）に取り付けられるように構成された少なくとも１つの固定接続部（１５；１１５）と、を具備し、
少なくとも１つの前記固定構造（１０）は、
本体（２５；２２５；３２５）と、
少なくとも１つの固定面（３０）と、
前記本体（２５；２２５；３２５）内に形成され、前記固定面（３０）上で開口する少なくとも１つの凹部（４０；２４０；３４０）であって、
挿入部（４１；２４１；３４１）であって所定の方向に延在し、第１の端部（４２；２４２；３４２）、該第１の端部（４２；２４２；３４２）に対して対向する端部である第２の端部（４３；２４３；３４３）、上部縁（４４；２４４；３４４）、及び、該上部縁（４４；２４４；３４４）に対して対向する縁部である下部縁（４５；２４５；３４５）を有し、前記上部縁（４４；２４４；３４４）及び前記下部縁（４５；２４５；３４５）がそれぞれ前記第１の端部（４２；２４２；３４２）及び前記第２の端部（４３；２４３；３４３）と交わる挿入部（４１；２４１；３４１）と
前記上部縁（４４；２４４；３４４）から延在し互いに対面する平行な２つの上部受容部（４８、５０；２４８、２５０；３４８、３５０）と
前記下部縁（４５；２４５；３４５）から延在し互いに対面する平行な２つの下部受容部（４９、５１；２４９、２５１；３４９、３５１）とを備える少なくとも１つの凹部（４０；２４０；３４０）と、を有し、
前記固定構造（１０）は、少なくとも２つの支持ブロック（４６、４７；２４６、２４７；３４６、３４７）であって、前記本体（２５；２２５；３２５）内に形成されそれぞれが前記上部縁（４４；２４４；３４４）及び前記下部縁（４５；２４５；３４５）の１つによって且つ２つの前記上部受容部（４８、５０；２４８、２５０；３４８、３５０）又は２つの前記下部受容部（４９、５１；２４９、２５１；３４９、３５１）によって少なくとも部分的に画成された少なくとも２つの支持ブロック（４６、４７；２４６、２４７；３４６、３４７）を更に有し、
少なくとも１つの前記固定接続部（１５；１１５）が、第１のブランチ（１６；１１６）と、第２のブランチ（１７；１１７）と、第３のブランチ（１８；１１８）と、を有し、
前記第２のブランチ（１７；１１７）及び前記第３のブランチ（１８；１１８）が、前記第１のブランチ（１６；１１６）から突出しており、互いに対面して平行であり、
前記第１のブランチ（１６；１１６）が、前記挿入部（４１；２４１；３４１）内へと挿入され次いで前記本体（２５；２２５；３２５）の前記固定面（３０）に対し対向する面（３１）に対して前記支持ブロック（４６、４７；２４６、２４７；３４６、３４７）に沿って摺動されるように構成されており、
前記第２のブランチ（１７；１１７）及び前記第３のブランチ（１８；１１８）が、２つの前記上部受容部（４８、５０；２４８、２５０；３４８、３５０）又は２つの前記下部受容部（４９、５１；２４９、２５１；３４９、３５１）内に少なくとも部分的に受容されるように構成されることを特徴とする組立体。
【請求項２】
少なくとも２つの前記上部受容部（４８、５０；２４８、２５０；３４８、３５０）及び２つの前記下部受容部（４９、５１；２４９、２５１；３４９、３５１）が、前記挿入部（４１；２４１）の前記第１の端部（４２；２４２；３４２）及び前記第２の端部（４３；２４３；３４３）の一方の位置において前記上部縁（４４；２４４；３４４）及び前記下部縁（４５；２４５；３４５）から突出して設けられることを特徴とする請求項１に記載の組立体。 
【請求項３】
２つの前記上部受容部（４８、５０；２４８、２５０）が、２つの前記下部受容部（４９、５１；２４９、２５１）の一方に対面してそれぞれ延在することを特徴とする請求項１及び請求項２のいずれか１つに記載の組立体。
【請求項４】
前記上部受容部（４８、５０；２４８、２５０；３４８、３５０）及び前記下部受容部（４９、５１；２４９、２５１；３４９、３５１）は、前記挿入部（４１；２４１；３４１）が延在する前記所定の方向に対して略垂直方向に前記挿入部（４１；２４１；３４１）から延在することを特徴とする請求項１から請求項３のいずれか１つに記載の組立体。
【請求項５】
少なくとも１つの前記凹部（４０；２４０）が略Ｈ形であることを特徴とする請求項１から請求項４のいずれか１つに記載の組立体。
【請求項６】
前記固定構造（１０）が、互いに入れ子にされて前記固定構造（１０）の大部分に亘り形成された複数の前記凹部（４０；２４０；３４０）を有することを特徴とする請求項１から請求項５のいずれか１つに記載の組立体。
【請求項７】
前記挿入部（４１；２４１；３４１）が、第１の所定の長さを有し、
少なくとも２つの前記支持ブロック（４６、４７；２４６、２４７；３４６、３４７）のそれぞれが、第１の所定の厚さと同等の第２の所定の長さを有し、
前記第１のブランチ（１６；１１６）が、前記第１の所定の長さと前記第２の所定の長さとの間の長さを有する第３の所定の長さを有し、
前記第２のブランチ（１７；１１７）及び前記第３のブランチ（１８；１１８）が、前記第１の所定の厚さ以上の第４の所定の長さを有することを特徴とする請求項１から請求項６のいずれか１つに記載の組立体。
【請求項８】
少なくとも１つの前記固定接続部（１１５）が、リング形状となるように、前記第２のブランチ（１１７）及び前記第３のブランチ（１１８）と交わり前記第１のブランチ（１１６）と対面する第４のブランチ（１６１）を有することを特徴とする請求項１から請求項７のいずれか１つに記載の組立体。
【請求項９】
前記少なくとも１つの固定接続部（１５；１１５）が、前記第１のブランチ（１６；１１６）と、前記第２のブランチ（１７；１１７）及び前記第３のブランチ（１８；１１８）の一方と、を通して形成された少なくとも１つの貫通穴（２３；１２３）を有し、
該貫通穴（２３；１２３）が、前記固定接続部（１５；１１５）を前記カバー要素（６）に取り付けるための第１の装置（２４）を受容するように構成されたことを特徴とする請求項１から請求項８のいずれか１つに記載の組立体。
【請求項１０】
前記固定構造（１０）が、少なくとも１つの前記凹部（４０；１４０；２４０）とは異なる、前記固定構造（１０）を壁（２）に取り付けるために第２の装置（３２）を受容するように構成された少なくとも１つの貫通開口部を有することを特徴とする請求項１から請求項９のいずれか１つに記載の組立体。
【請求項１１】
前記固定構造（１０）を前記壁（２）に取り付けるための前記固定構造（１０）の前記貫通開口部を閉止するためのプラグ（３３）を具備し、
閉止する該プラグ（３３）が、前記固定面（３０）と同一平面に取り付けられるように構成されたことを特徴とする請求項１０に記載の組立体。
【請求項１２】
前記固定構造（１０）及び少なくとも１つの前記固定接続部（１５；１１５）が、剛体材料及び／又は半剛体材料から形成されたことを特徴とする請求項１から請求項１１のいずれか１つに記載の組立体。
【請求項１３】
前記固定構造（１０）が金属材料からなり、
少なくとも１つの前記固定接続部（１５；１１５）がプラスチック材料からなることを特徴とする請求項１２に記載の組立体。
【請求項１４】
前記固定構造（１０）が、互いに組立てられた複数のパネル（１１）と、該パネル（１１）のそれぞれに取り付けられた複数の前記固定接続部（１５；１１５）と、を有することを特徴とする請求項１から請求項１３のいずれか１つに記載の組立体。
【請求項１５】
請求項１から請求項１４のいずれか１つに記載の組立体（５）と、該組立体（５）に取り付けられるように構成された複数のカバー要素と、を具備するキット。
【発明の詳細な説明】
【技術分野】
【０００１】
本発明は、装飾的要素、特に、例えば内部の壁カバーの固定の一般分野に関する。
【０００２】
より詳細には、本発明は特に、例えば家の内部の壁カバーのための組立体に関する。
【背景技術】
【０００３】
家の内壁を、直接的且つ少なくとも部分的に、例えば革製のカバーで覆うのが公知である。
【０００４】
例えば革製のカバーであらかじめ覆われた大きな支持プレートを、家の内壁に、直接的且つ永久的に固定することも公知である。これらの支持プレートは、プラスターボードの方法で壁に固定される。
【発明の概要】
【発明が解決しようとする課題】
【０００５】
これらの公知な技術は、内部カバーによって家の内壁を覆うことに関する要求を満たすが、カバー自体を破損させずに取り外し、言い換えれば、内部カバーを取り除くことは、困難であり又は不可能である。
【０００６】
本発明の目的は、カバーを特に家の内部の所定の場所に取り付けるため且つそれを取り除くための、より簡易で、より便利な、且つ、より経済的な壁のカバーのための組立体を提供することにある。
【課題を解決するための手段】
【０００７】
従って、第１の態様によれば、本発明は、壁カバーのための組立体であって、固定構造と、少なくとも１つのカバー要素に結合され、その固定構造に取り付けられるように構成された少なくとも１つの固定接続部と、を具備し、その少なくとも１つの固定構造は、本体と、少なくとも１つの固定面と、その本体内に形成され、その固定面上で開口する少なくとも１つの凹部であって、挿入部であって所定の方向に延在し第１の端部、その第１の端部に対して対向する端部である第２の端部、上部縁、及び、その上部縁に対して対向する縁部である下部縁を有し、その上部縁及び下部縁がそれぞれ第１の端部及び第２の端部と交わる挿入部と上部縁から延在し互いに対面する平行な２つの上部受容部と下部縁から延在し互いに対面する平行な２つの下部受容部とを備える少なくとも１つの凹部と、を有し、固定構造は、少なくとも２つの支持ブロックであって、その本体内に形成されそれぞれが上部縁及び下部縁の１つによって且つ２つの上部受容部又は２つの下部受容部によって少なくとも部分的に画成された少なくとも２つの支持ブロックを更に有し、少なくとも１つの固定接続部が、第１のブランチと、第２のブランチと、第３のブランチと、を有し、第２のブランチ及び第３のブランチが、第１のブランチから突出しており、互いに対面して平行であり、第１のブランチが、挿入部内へと挿入され次いで本体の固定面に対し対向する面に対して支持ブロックに沿って摺動されるように構成されており、第２のブランチ及び第３のブランチが、２つの上部受容部又は２つの下部受容部内に少なくとも部分的に受容されるように構成されることを特徴とする組立体に関する。
【０００８】
本発明に係る組立体は、カバー要素を所定の場所に取り付け、カバー要素の構造的完全性及び美的完全性の両方を維持しながらカバー要素を取り除くための簡易性及び利便性を実現することができるため、特に好適なカバーモジュール性を提供する。
【０００９】
本発明に係る組立体のため、カバー要素は、組立体の所定の場所に取り付け且つ取り除くのに特に簡易且つ便利な内部カバーモジュールと共に取り込まれる。
【００１０】
更に、このモジュール性は、特に家の内部を覆う壁を形成するためにその組立体に取り付けられてもよい様々な形状、サイズ及び構造のカバー要素によって特徴付けられる。
【００１１】
本発明に係る組立体が、その組立体に設けられる固定構造の外側でカバー要素の設置を可能とし、カバー要素が、１又は複数の固定接続部を介してその固定構造に取り付けられることに留意されたい。言い換えれば、カバー要素は、その固定構造を少なくとも部分的に覆うため又はその固定構造を越えて伸長させるように固定構造に取り付けられてもよい。
【００１２】
固定構造が家の内部の壁に固定されるため又は例えば床に配置された少なくとも１つの保持部材によって保持されるため略平面的となるように又は上反りとなるように幾何学的に構成されてもよいことにも留意されたい。
【００１３】
本発明に係る組立体は、上述した方法で構成された固定接続部と関連した固定構造に形成された凹部が、壁、床及び天井へのカバー要素の設置を同様に好適に可能とするため更に便利である。
【００１４】
本発明に係る組立体は、凹部の形状によって設置方向がないため、更に便利である。正確には、カバー要素は、いかなる配置で固定構造に取り付けられてもよい。
【００１５】
本発明に係る組立体の、他の好適な、特に簡易で、便利且つ経済的な特徴によれば、少なくとも２つの上部受容部及び２つの下部受容部が、挿入部の第１の端部及び第２の端部の一方の位置において上部縁及び下部縁から突出して設けられ、２つの上部受容部が、２つの下部受容部の一方に対面してそれぞれ延在し、上部受容部及び下部受容部は、挿入部が延在する所定の方向に対して略垂直方向に挿入部から延在し、少なくとも１つの凹部が略Ｈ形であり、固定構造が、互いに入れ子（nesting）にされて固定構造の大部分に亘り形成された複数の凹部を有し、挿入部が、第１の所定の長さを有し、少なくとも２つの支持ブロックのそれぞれが、第１の所定の厚さと同等の第２の所定の長さを有し、第１のブランチが、第１の所定の長さと第２の所定の長さとの間の長さを有する第３の所定の長さを有し、第２のブランチ及び第３のブランチが、第１の所定の厚さ以上の第４の所定の長さを有し、少なくとも１つの固定接続部が、リング形状となるように、第２のブランチ及び第３のブランチと交わり第１のブランチと対面する第４のブランチを有する。
【００１６】
少なくとも１つの固定接続部が、第１のブランチと、第２のブランチ及び第３のブランチの一方と、を通して形成された少なくとも１つの貫通穴を有し、その貫通穴が、固定接続部をカバー要素に取り付けるための第１の装置を受容するように構成され、固定構造が、少なくとも１つの凹部とは異なる、固定構造を壁に取り付けるために第２の装置を受容するように構成された少なくとも１つの貫通開口部を有し、組立体は、固定構造を壁に取り付けるための固定構造の貫通開口部を閉止するためのプラグを具備し、閉止するプラグが、固定面と同一平面に取り付けられるように構成される。
【００１７】
固定構造及び少なくとも１つの固定接続部が、剛体材料及び／又は半剛体材料から形成され、固定構造が金属材料からなり、少なくとも１つの固定接続部がプラスチック材料からなり、且つ／又は、固定構造が、互いに組立てられた複数のパネルと、パネルのそれぞれに取り付けられた複数の固定接続部と、を有する。
【００１８】
第２の態様によれば、本発明は、組立体と、組立体に取り付けられるように構成された複数のカバー要素と、を具備するキットにも関する。
【００１９】
本発明に係るキットは、組立体、特に固定構造におけるカバー要素の構成において且つ家の中のカバー要素の所定の位置への配置において与えられるモジュール性のため、特に簡易で、便利かつ経済的である。
【００２０】
本発明は、添付図面を参照しつつ、例示的且つ非限定的な例によって以下で示される例示的実施形態の説明と共にここで開示される。
【図面の簡単な説明】
【００２１】
【図１】本発明によって壁を覆うための組立体が固定された家の部屋の２つの内壁の概略的部分斜視図であり、組立体が複数のカバー要素に取り付けられている。
【図２】図１に示されたカバー要素の１つであり、斜め後方から示され、図１で示された組立体のいくつかの固定接続部が固定されている。
【図３】図１に示された組立体と特に図２のカバー要素が取り付けられた固定構造とを部分的に示した後方からの斜視図である。
【図４】図２のカバー要素の、図１に示された組立体の固定構造への設置及び取り付けのステップを示す図３に類似した詳細図である。
【図５】図２のカバー要素の、図１に示された組立体の固定構造への設置及び取り付けのステップを示す図３に類似した詳細図である。
【図６】図２のカバー要素の、図１に示された組立体の固定構造への設置及び取り付けのステップを示す図３に類似した詳細図である。
【図７】図２から図６で示した固定接続部の変形例の斜視図である。
【図８】図１及び図３から図６に示された固定構造の第１の変形例及び第２の変形例の平面の詳細図である。
【図９】図１及び図３から図６に示された固定構造の第１の変形例及び第２の変形例の平面の詳細図である。
【発明を実施するための形態】
【００２２】
角部３で互いに結合された２つの壁２を有する家の部屋１の図１は、部分概略図であり、それぞれの壁２は、更にその部屋１の床４に結合されている。
【００２３】
内壁２がここに示されているが、それぞれの内壁２は部分的に内部カバー４によって覆われている。
【００２４】
この内部カバー４は、内部カバー４のための組立体５と複数の内部カバーモジュール６とを有するキットによって形成されており、カバー要素とも呼ばれるそれぞれの内部カバーモジュール６は、組立体５に取り付けられる。
【００２５】
ここで内部カバーモジュール６について詳細に説明する。
【００２６】
内部カバーモジュール６は、様々な形状、様々なサイズ及び様々な態様を有してもよく、例えば平面であってもよく、リレーフ、つまり３Ｄ形式であってもよい。
【００２７】
これらの内部カバーモジュール６は、例えば平行六面体の硬質材料フレーム７からそれぞれ形成される。
【００２８】
それぞれの内部カバーモジュール６は、背面１２と背面１２に対して対向する面の前面１３とを有する。
【００２９】
それぞれの内部カバーモジュール６の前面１３は、全体的にそれ自体全体的にカバー材料で形成されたカバー９で覆われた発泡体（図示せず）で覆われている。
【００３０】
このカバー材料は、例えば革で形成されており、或いは繊維材で形成されている。
【００３１】
カバー９は、部分的に前面１３を越えて背面１２の縁部に至るように延在し、そこに固定される。
【００３２】
背面１２については、背面１２に配置されたカバー９の切欠端をマスキングするため、アルミニウムから形成された材料シート８によって覆われている。
【００３３】
それぞれの内部カバーモジュール６は、フレーム７内に形成され背面を通る複数の孔１４及び開口部を更に有する。
【００３４】
ここで、図２に示された内部カバーモジュール６は、４８の孔１４、詳細には、４つの孔１４の１２のグループを有する。
【００３５】
それぞれのグループの４つの孔１４は、正方形を形成するように配置されている。
【００３６】
これは、以下で説明するように、固定構造１０に、内部カバーモジュール６のために２つの別個の設置位置を設けることを可能とする。
【００３７】
組立体５は、内部カバーのためここでより詳細に説明される。
【００３８】
内部カバーのための組立体５は、複数の固定パネル１１によって図１で形成された固定構造１０を具備する。
【００３９】
ここで固定構造１０は、例えば四角形且つ平面である、第１の形式に類似した複数の固定パネル１１及び例えば上反りのパネルである、第２の形式に類似したいくつかの上反りの（dihedral）固定パネル１１を有し、これらの後者（latter）は、部屋１の角部３の位置で、２つの壁２の接続部において配置される。
【００４０】
当然のことながら、固定パネル１１は、図１に示されたのと異なったサイズ及び形状を有してもよい。
【００４１】
組立体５は複数の固定接続部１５を更に具備し、それぞれその背面１２で内部カバーモジュール６に取り付けられ、更に固定構造１０、詳細には固定パネル１１に取り付けられるように構成されている。
【００４２】
ここで固定接続部１５についてより詳細に説明される。
【００４３】
それぞれの固定接続部１５は、プラスチック材料から形成される。
【００４４】
それぞれの固定接続部１５は、第１のブランチとも呼ばれる長手方向ブランチ１６と、第２のブランチ及び第３のブランチとも呼ばれる２つの横方向ブランチ１７及び１８と、を有し、その横方向ブランチ１７及び１８は、長手方向ブランチ１６からその端部において垂直に突出する。
【００４５】
長手方向ブランチ１６は、内部支持面２１と、内部支持面２１に対して対向する面の外部支持面２２と、を有する。
【００４６】
横方向ブランチ１７及び１８は自由端１９、２０をそれぞれ有し、その自由端１９、２０によって固定接続部１５が内部カバーモジュール６の背面１２に対して支承するように構成される。
【００４７】
固定接続部１５は、その固定接続部１５の両側で開口する２つの貫通穴２３を更に有する。
【００４８】
それぞれの貫通穴２３は、長手方向ブランチ１６の外側面２２と、横方向ブランチ１７の自由端１９及び横方向ブランチ１８のそれぞれ自由端２０のそれぞれの位置と、において開口する。
【００４９】
これらの貫通穴２３のそれぞれは、固定接続部１５を内部カバーモジュール６に取り付けるための第１の装置を受容するように構成される。
【００５０】
取付装置は、例えば金属ねじ２４である。
【００５１】
固定構造１０の固定パネル１１は、ここでより詳細に説明される。
【００５２】
それぞれの固定パネル１１は、対とされた側部が対向する側部である、４つの側部２６、２７、２８及び２９と、固定のための面３０と、壁、ここでは固定装置３２（後述）を介して壁２に取り付けるための面３１と、を備える金属本体２５を有する。
【００５３】
固定パネル１１の対向する側部２６及び２７と２８及び２９とは、複数の固定パネル１１の組立体を互いに係合することを可能とするように構成された相補的形状の様々な縁部をそれぞれ有する。
【００５４】
固定パネル１１は、本体２５で形成された複数の凹部４０を具備する。
【００５５】
ここでＨ形であるこれらの凹部は、互いに入れ子にされ、固定パネル１１の本体２５全体に亘り存在する。
【００５６】
ここで、それぞれの凹部４０は、貫通凹部であり、つまり固定面３０と取付面３１との両方を通して開口する。
【００５７】
それぞれの凹部４０は、挿入部４１であって、所定の方向、ここでは長手方向に延在し、第１の端部４２と、第１の端部４２に対して対向する端部である第２の端部４３と、上部縁４４と、上部縁４４に対して対向する端部である下部縁４５と、を備える挿入部４１を有する。
【００５８】
上部縁４４及び下部縁４５はそれぞれ、第１の端部４２及び第２の端部４３と交わる。
【００５９】
それぞれの凹部４０は、上部縁４４から垂直に突出し且つ互いに対面する平行な２つの上部受容部４８、５０と、下部縁４５から垂直に突出し且つ互いに対面する平行な２つの下部受容部４９、５１と、を更に有する。
【００６０】
上部受容部４８及び下部受容部４９は、凹部４０の挿入部４１の第１の端部４２から突出して形成され、互いに対面して延在する。
【００６１】
上部受容部５０及び下部受容部５１は、凹部４０の挿入部４１の第２の端部４３から突出して形成され、互いに対面して延在する。
【００６２】
固定パネル１１は、凹部４０のため、本体２５に形成された複数の支持ブロック４６、４７を更に具備する。
【００６３】
各支持ブロック４６及び４７はそれぞれ、上部縁４４及び下部縁４５のそれぞれによって、且つ、上部受容部４８、５０及び下部受容部４９、５１のそれぞれによって、少なくとも部分的に画成される。
【００６４】
挿入部４１が第１の所定の長さを有し、且つ、支持ブロック４６、４７が、第１の所定の厚さと同様の第２の所定の長さをそれぞれ有することに留意されたい。
【００６５】
固定接続部１５の長手方向ブランチ１６が、第３の所定の長さを有し、横方向ブランチ１７、１８が第４の所定の長さを有することにも留意されたい。
【００６６】
長手方向ブランチ１６の第３の所定の長さは、挿入部４１及び支持ブロック４６、４７それぞれの第１の所定の長さ及び第２の所定の長さ間に構成される。
【００６７】
横方向ブランチ１７、１８の第４の所定の長さは、支持ブロック４６、４７の第１の所定の厚さ以上である。
【００６８】
固定装置３２は、詳細には、ねじを介して壁２に取り付けられた固定されたスペーサ（図示せず）と、固定パネル１０、詳細にはその取付面３１を、壁２から離間させることを可能とする相補的スペーサと、その相補的スペーサを介してその固定パネル１１を壁２に固定するように構成された金属ねじのような第２の固定装置（図示せず）と、を有する。
【００６９】
このため、固定パネル１１は、本体２５内に形成され、いくつかの孔であって、固定パネル１１を壁２に固定するための固定ねじの通路のため固定面３０と取付面３１とを通して開口するいくつかの孔（図示せず）を有する。
【００７０】
これらの孔は、凹部４０とは異なる。
【００７１】
組立体５が、こうした固定パネル１１の開口部にそれぞれ挿入されるように構成された閉止プラグ３３を更に有することに留意されたい。
【００７２】
更に、それぞれの閉止プラグ３３は、固定パネル１１の固定面３０と同一平面で取り付けられるように構成される。
【００７３】
ここで、固定パネル１１が９つの固定装置３２を介して壁２に取り付けられることにここで留意されたい。
【００７４】
ここで、内部カバーモジュール６の組立体５への組立の方法のステップの詳細について図４から図６を参照しつつ説明する。
【００７５】
ここでは４つ示された固定接続部１５は、最初に内部カバーモジュール６の背面１２にねじ２４で固定される。
【００７６】
図４において、内部カバーモジュール６は、固定パネル１１から離間され、内部カバーモジュール６の背面１２は、固定パネル１１の固定面３０に対面する。
【００７７】
詳細には、固定接続部１５の長手方向ブランチ１６は、凹部４０の挿入部４１に対面して配置されている。
【００７８】
内部カバーモジュール６は、固定パネル１１へと図４で示された矢印の方向へと長手方向ブランチ１６が挿入部４１（図５）内に挿入されるまで移動される。
【００７９】
内部カバーモジュール６は、固定パネル１１に対してしっかりと押し当てられ、次いでその内部カバーモジュール６が固定パネル１１に対して図４に示す矢印の方向において下方に移動することが可能となり、長手方向ブランチ１６の内部支持面２１は、本体２５の固定面３０に対し対向する面３１に対して支持ブロック４６に沿って摺動する。
【００８０】
次いで固定接続部１５の横方向ブランチ１７及び１８はそれぞれ、下部受容部４９、５１のそれぞれにおいて少なくとも部分的に受容される。
【００８１】
横方向ブランチ１７及び１８は、それぞれの下部受容部４９、５１（図６）の底部で停止する。
【００８２】
従って、内部カバーモジュール６は、非常に簡易的に固定パネル１１に取り付けられる。
【００８３】
当然のことながら、内部カバーモジュール６を固定パネル１１から取り除くのは、上述したのと逆のステップで非常に簡易的に実現される。
【００８４】
組立体５は、内部カバーモジュール６を所定の場所に取り付け、且つ、それらをその構造的完全性及び美的完全性の両方を維持しながら取り除くための簡易性及び利便性を実現することができるため、特に好適なモジュール性を内部カバーに提供する。
【００８５】
内部カバーモジュールは、特に固定接続部１５と、固定パネル１１の凹部４０と支持ブロック４６及び４７とによって固定構造１０に取り付けるのが容易である。
【００８６】
ここで、内部カバーモジュール６に取り付けられた固定接続部１５は支持ブロック４６に係合されるが、固定パネル１１が１８０°回転されると、固定接続部１５が少しの困難性もなく支持ブロック４７と係合されることに留意されたい。
【００８７】
図７は、図２から図６に示す固定接続部１５の変形的実施形態を示す。
【００８８】
概して、類似する部分に、１００の数字が追加された同等の参照番号が使用されている。
【００８９】
固定接続部１５と比較すると、固定接続部１１５は、リング形状である。
【００９０】
言い換えると、固定接続部１１５は、横方向ブランチ１１７及び１１８と交わり且つ第１の長手方向ブランチ１１６と対面し、第４のブランチとも呼ばれる別の長手方向ブランチ１６１を有する。
【００９１】
従って内部空間１６０は、４つのブランチ１１６、１１７、１１８及び１６１間で形成される。
【００９２】
穴１２３は、それぞれの長手方向ブランチ１１６及び１６１と、それぞれ１つの横方向ブランチ１１７、１１８と、を通る。
【００９３】
固定接続部１１５は、第４のブランチ１６１の外側面１６２を介してモジュールの底面に対して支承するように構成され、その固定接続部は、第１のブランチ１１６の内部支持面１２１を介して固定パネルの支持ブロックに常に支承する。
【００９４】
固定接続部１１５を介して固定構造１０上に内部カバーモジュール６を所定の場所で取付け且つ取り除くステップは、固定接続部１５について前述したステップと同等である。
【００９５】
図８は、図１及び図３から図６に示した凹部４０の第１の変形的実施形態を示す。
【００９６】
概して、類似する部分に２００の数字が追加された同等の参照番号が使用されている。
【００９７】
凹部４０と比較して、凹部２４０は、第１の端部２４２及び第２の端部２４３において挿入部２４１から突出する下部受容部２４８、２４９、２５０及び２５１を有し、互いに対面するが、上部縁２４４及び下部縁２４５に対して直行せずに傾斜されている。
【００９８】
更に、支持ブロック２４６及び２４７は、上部受容部及び下部受容部２４８、２４９、２５０、２５１によって画成され、同様に直行せずに傾斜された形状を有するように定義される。
【００９９】
図９は、図１及び図３から図６に示された凹部４０の第２の変形的実施形態を示す。
【０１００】
概して、類似する部分に、３００の数字が追加された同等の参照番号が使用されている。
【０１０１】
凹部４０と比較して、凹部３４０は、上部受容部及び下部受容部３４８、３４９、３５０及び３５１を有し、挿入部２４１から互いに対面して突出しつつも、凹部２４０のように上部縁３４４及び下部縁３４５に対して直行せずに傾斜されている。
【０１０２】
更に、支持ブロック３４６及び３４７は、上部受容部及び下部受容部３４８、３４９、３５０及び３５１によって４画成された直行せずに傾斜されている形状を有するように定義される。
【０１０３】
凹部４０及び２４０と比較して、上部受容部３４８及び下部受容部３５１のみが第１の端部３４２及び第２の端部３４３の位置において延在することに更に留意されたい。
【０１０４】
上部受容部３５０及び下部受容部３４９のため、これらは、第１の端部３４２及び第２の端部３４３間のそれぞれ上部縁３４４及び下部縁３４５に沿って延在する。
【０１０５】
図示されていない変形例において、固定構造及び／又は固定接続部は、金属から形成されず、プラスチックから、より一般的には剛体材料及び／又は半剛体材料からそれぞれ形成され、カバーは、皮及び／又は繊維材ではなく、木、金属、ボール紙、プラスチック又は石から形成され、組立体は、家の内部の壁カバーのためではなく、例えばベッドのヘッドボード、又は、家又はより一般的なビルの外部壁のために構成され、固定接続部は、１つのカバーモジュールではなく２つの内部カバーモジュールに取り付けられ、固定接続部は、１つの固定パネルではなく、２つの固定パネルに取り付けられ、固定構造は、内部の壁に取り付けられず、保持部材に配置され、例えば床に配置され、且つ／又は、キットは内部カバーモジュールのみを有するのではなく、壁のランプモジュール又はマルチメディアモジュールのような機能的モジュールを有する。
【０１０６】
より一般的に当然のことながら、本発明は、説明され且つ示された例示に限定されるものではない。
【符号の説明】
【０１０７】
１    部屋
２    壁
３    角部
４    床
５    組立体
６    内部カバーモジュール
７    硬質材料フレーム
８    材料シート
９    カバー
１０    固定構造
１１    固定パネル
１２    背面
１３    前面
１４    孔
１５    固定接続部
１６    長手方向ブランチ
１７    横方向ブランチ
１８    横方向ブランチ
１９    自由端
２０    自由端
２１    内部支持面
２２    外側面
２３    貫通穴
２４    金属ねじ
２５    金属本体
２６    側部
２７    側部
２８    側部
２９    側部
３０    固定面
３１    取付面
３２    固定装置
３３    閉止プラグ
４０    凹部
４１    挿入部
４２    第１の端部
４３    第２の端部
４４    上部縁
４５    下部縁
４６    支持ブロック
４７    支持ブロック
４８    上部受容部
４９    下部受容部
５０    上部受容部
５１    下部受容部
１１５    固定接続部
１１６    長手方向ブランチ
１１７    横方向ブランチ
１１８    横方向ブランチ
１２１    内部支持面
１２３    穴
１６０    内部空間
１６１    長手方向ブランチ
１６２    外側面
２２５    本体
２４０    凹部
２４１    挿入部
２４３    第２の端部
２４４    上部縁
２４５    下部縁
２４６    支持ブロック
２４７    支持ブロック
２４８    上部受容部
２４９    下部受容部
２５０    上部受容部
２５１    下部受容部
３２５    本体
３４０    凹部
３４１    挿入部
３４２    第１の端部
３４３    第２の端部
３４４    上部縁
３４５    下部縁
３４６    支持ブロック
３４７    支持ブロック
３４８    上部受容部
３４９    下部受容部
３５０    上部受容部
３５１    下部受容部
【図１】
2013185437.tif 000003
【図２】
2013185437.tif 000004
【図３】
2013185437.tif 000005
【図４】
2013185437.tif 000006
【図５】
2013185437.tif 000007
【図６】
2013185437.tif 000008
【図７】
2013185437.tif 000009
【図８】
2013185437.tif 000010
【図９】
2013185437.tif 000011